(57)【要約】【課題】  ツィータ部から放音される音波が歪むことなく、望ましい音場を得ることが可能な複合型スピーカ装置を提供する。【解決手段】  メインスピーカユニット１１の放音側にツィータ部１５を配置した複合型スピーカ装置１０において、ツィータ部１５の放音側に配置され、かつツィータ部１５から放音される音を所定の方向に反射させる反射板３１を備え、反射板３１をツィータ部１５に対して回転可能に取り付けたものである。【選択図】  図２
2005322987.tif 000002
【特許請求の範囲】
【請求項１】
メインスピーカユニットの放音側にツィータ部を配置した複合型スピーカ装置において、
前記ツィータ部の放音側に配置され、かつ当該ツィータ部から放音される音を所定の方向に反射させる反射板を備え、
前記反射板を前記ツィータ部に対して回転可能に取り付けたことを特徴とする複合型スピーカ装置。
【請求項２】
請求項１に記載の複合型スピーカ装置において、
前記反射板に、前記ツィータ部から放音される音を所定の角度に反射させる湾曲部を形成したことを特徴とする複合型スピーカ装置。
【請求項３】
請求項１又は２に記載の複合型スピーカ装置において、
前記反射板を複数形成したことを特徴とする複合型スピーカ装置。
【請求項４】
請求項１乃至３のいずれか一項に記載の複合型スピーカ装置において、
前記反射板の所定角度以上の回転を阻止する回り止め機構を設けたことを特徴とする複合型スピーカ装置。
【請求項５】
請求項１乃至４のいずれか一項に記載の複合型スピーカ装置において、
前記反射板を前記ツィータ部に対して位置決めする位置決め機構を設けたことを特徴とする複合型スピーカ装置。
【発明の詳細な説明】
【技術分野】
【０００１】
本願は、各種音響機器に使用され、メインスピーカユニットの放音側にツィータ部が配置された複合型スピーカ装置の技術分野に属する。
【背景技術】
【０００２】
従来、この種の複合型スピーカ装置は、例えば特許文献１に開示されたものがある。かかる複合型スピーカ装置１は、図１に示すようにメインスピーカユニット２を有し、当該メインスピーカユニット２はスピーカフレーム３と、このスピーカフレーム３に懸吊状態で保持される振動部４と、磁気回路部５とを備えている。
【０００３】
そして、磁気回路部５におけるヨークのセンターポール６には、ツィータユニット７が固定され、当該ツィータユニット７の前方には、ツィータユニット７から放音される音を所望とする方向に反射させる反射板８が傾斜して固定されている。
【特許文献１】特開２００２−２０９２９３
【発明の開示】
【発明が解決しようとする課題】
【０００４】
ところで、図１に示す従来の複合型スピーカ装置１では、ツィータユニット７の前方において反射板８が傾斜して固定されているため、車載用とした場合、乗車位置によっては複合型スピーカ装置１の正面から偏った位置となり、ツィータユニット７から放音される音波が歪むことがあり、また車室内において望ましい音場を得ることが困難であった。したがって、従来の複合型スピーカ装置１は、反射板８が固定状態で取り付けられているため、取付位置及び取付角度の自由度が低く、特に車載用とした場合、望ましい音場を得ることが困難であった。
【０００５】
本願は、上記の事情を考慮してなされたもので、その課題の一例は、ツィータ部から放音される音波が歪むことなく、望ましい音場を得ることが可能な複合型スピーカ装置を提供することにある。
【課題を解決するための手段】
【０００６】
上記課題を解決するために、請求項１にかかる複合型スピーカ装置は、メインスピーカユニットの放音側にツィータ部を配置した複合型スピーカ装置において、前記ツィータ部の放音側に配置され、かつ当該ツィータ部から放音される音を所定の方向に反射させる反射板を備え、前記反射板を前記ツィータ部に対して回転可能に取り付けたことを特徴とする。
【発明を実施するための最良の形態】
【０００７】
本願に係る複合型スピーカ装置の実施形態を図面に基づいて説明する。なお、以下に説明する実施形態は、本願に係る複合型スピーカ装置を、例えば自動車等の車両に搭載する車載用スピーカに適用した例を示している。
【０００８】
具体的には、本実施形態における複合型スピーカ装置は、車両の側部ドアに対して取付可能に構成された、いわゆる２ウェイタイプのコーンスピーカである。
【０００９】
まず、本実施形態における複合型スピーカ装置の構成について、図２及び図３を用いて説明する。なお、図２は本実施形態における複合型スピーカ装置の断面図、図３は図２の正面図である。
【００１０】
図２に示すように複合型スピーカ装置１０は、メインスピーカユニット１１を有し、当該メインスピーカユニット１１は、スピーカフレーム１２と、このスピーカフレーム１２に懸吊状態で保持される振動部１３と、磁気回路部１４とを備えている。そして、メインスピーカユニット１１の放音（前面）側には、ツィータユニット１５が配置されている。
【００１１】
スピーカフレーム１２は、振動部１３及び磁気回路部１４等を保持する部材で、略円盤状に形成されており、振動板１６の振動により発生する背圧を調整するための孔１２ａが必要箇所に多数設けられている。
【００１２】
スピーカフレーム１２の前面開口部には、振動板１６の前面開口部（図２上方）に接着されたエッジ１７の固定面１８と、ボイスコイルボビン１９の外周に接着されたダンパ２０の外周部の固定面２１等が形成されている。
【００１３】
スピーカフレーム１２の前面開口縁には、図３に示すように外側方向に延在して相手側部材、例えば車両の側部ドアに取り付けるために複数（例えば４つ）の切欠部２２が周方向に等間隔に形成されている。
【００１４】
また、スピーカフレーム１２の後端面２３には、上記した磁気回路部１４が固定される。スピーカフレーム１２の材料には、例えばめっき鋼板や樹脂部材及びアルミダイカスト部材等が用いられ、めっき鋼板の場合にはプレス加工、樹脂部材の場合には樹脂成形加工及びアルミダイカスト部材の場合にはアルミダイカスト加工等により形成される。
【００１５】
なお、振動部１３は、振動板１６、ボイスコイル２４、エッジ１７及びダンパ２０等により構成されている。
【００１６】
振動板１６は、ボイスコイル２４に入力された電気入力信号から機械振動に変換された振動を入力信号に応じた音声として放射するもので、略円錐台形状をしており、材料には、例えば振動板上に、熱加圧成形された天然繊維又は化学繊維振動板のいずれかをフィルムを介し、積層して構成されている。
【００１７】
振動板１６は、中央部がボイスコイルボビン１９の円筒の上端部に接着固定されており、振動板１６の前面開口部にはエッジ１７の内周部が接着固定されており、エッジ１７の外周部はスピーカフレーム１２の前面開口部の固定面１８に接着固定されている。
【００１８】
また、振動板１６が固定されたボイスコイルボビン１９の外周は、ダンパ２０の内周部に接着固定されており、当該ダンパ２０の外周部はスピーカフレーム１２の固定面２１に接着固定されている。したがって、振動板１６はエッジ１７とダンパ２０により懸吊状態でスピーカフレーム１２に保持されている。
【００１９】
エッジ１７は円環状に形成されており、振動板１６の前面開口縁に接着して振動板１６を支持する支持部材で、振動板１６が振動した際に所定の位置に復元する機能を有しており、エッジ１７の材料には、例えば薄い布、ウレタン、ゴム等が用いられ、これらを成形加工することにより形成される。
【００２０】
ダンパ２０は、ボイスコイルボビン１９に接着固定された振動板１６がボイスコイルボビン１９の振動に追従して動くように振動板１６を支える支持部材で、円環状に形成されるとともに、断面が波状に形成されている。ダンパ２０の材料には、例えば樹脂や混紡等が用いられる。
【００２１】
磁気回路部１４は、ヨーク２５、磁石２６及びセンタピース２７等により構成され、ヨーク２５が磁石１１の上面に取り付けられ、センタピース２７が磁石２６の下面に取り付けられている。
【００２２】
次に、ツィータユニット１５の構成を説明する。
【００２３】
ツィータユニット１５は、センタピース２７の突起部２７ａ上に連結部２８、後述する回転機構４０を介して取り付けられている。ツィータユニット１５は、図３及び図４に示すように反射板３１を有し、当該反射板３１はツイータユニット１５から出力される音を所定方向へ反射させて誘導する板で、ツイータユニット１５の水平方向に対して湾曲する湾曲部３２が上下に反射板３１と一体に成形されており、反射板３１の材料には例えば樹脂等が用いられる。
【００２４】
ツィータユニット１５は、高音域用のスピーカで、図４に示すように振動板３３、磁気回路部３４等により構成されている。
【００２５】
磁気回路部３４は、ヨーク３５、磁石３６及びセンタピース３７等により構成されている。
【００２６】
次に、反射板３１の回転機構４０について説明する。
【００２７】
回転機構４０は、図２に示すように反射板３１を正逆両方向に回転可能に保持し、図５（Ａ），（Ｂ）に示す外筒４１と、当該外筒４１が嵌着され外筒４１を回転可能に保持する図６（Ａ），（Ｂ）に示す内筒５０等から構成されている。
【００２８】
外筒４１は、図５（Ａ），（Ｂ）に示すように反射板３１の底面に固定されるフランジ部４２と、このフランジ部４２に一体に成形されている胴部４３と、この胴部４３と一体に成形され弾性を有する押圧片４４ａが周方向に複数形成された脚部４４と、胴部４３の内周面からその中心方向に突出した突出部４５と、フランジ部４２の上面に取り付けられた２つの電極部４６とを備えて構成されている。
【００２９】
内筒５０は、図６（Ａ），（Ｂ）に示すように上部に形成され外筒４１の押圧片４４ａが圧接するギヤ部５１と、このギヤ部５１の内周面に形成され外筒４１の突出部４５を係止するストッパ５２と、連結部２８及びセンタピース２７の突起部２７ａに形成された孔に固定される固定部５３とを備えて構成されている。
【００３０】
したがって、反射板３１を回転させることにより回転機構４０の外筒４１が内筒５０に対して回転し、外筒４１が所定角度以上に回転すると、突出部４５が内筒５０のストッパ５２に係止され、それ以上の回転が阻止される。これにより、電極部４６に接続されたリード線５５（図２に示す）が無理に捩られることがなくなり、リード線５５の断線を未然に防止することができる。
【００３１】
また、内筒５０のギヤ部５１に外筒４１の押圧片４４ａが圧接しつつ回転するので、反射板３１を回転させ所望の回転角度になった場合には、図７に示すように押圧片４４ａがギヤ部５１間に嵌り込んで位置決めされるため、反射板３１が不意に回転するのを防止することができる。
【００３２】
ここで、例えば、本実施形態における複合スピーカ装置１０は本願に係る複合スピーカ装置を、ツィータユニット１５は本願に係るツィータ部を、反射板３１は本願に係る反射板を、湾曲部３２は本願に係る湾曲部を、突出部４５及びストッパ５２は本願に係る回り止め機構を、内筒５０のギヤ部５１及び外筒４１の脚部４４は本願に係る位置決め機構を、それぞれ構成する。
【００３３】
このように本実施形態では、反射板３１を回転機構４０により回転可能に構成し、図８に示すように湾曲部３２の角度を調整することにより、高い音圧レベルを得ることができる。
【実施例】
【００３４】
上記実施形態に係る複合スピーカ装置１０を試作し測定したときのデータを用いて本願の効果を以下に説明する。
【００３５】
図９は従来の複合スピーカ装置で１０Ｈｚ〜５００００Ｈｚの周波数領域における周波数特性を測定したときの測定結果を示し、図１０乃至と図１２は上記実施形態に係る複合スピーカ装置１０で周波数特性を測定したときの測定結果を示している。
【００３６】
すなわち、図９は従来の複合スピーカ装置において、反射板を０°、３０°、６０°と傾けた場合の音圧レベルを示している。
【００３７】
また、図１０は上記実施形態に係る複合スピーカ装置１０において、反射板３１を図３に示す方向（０°）とした音圧レベルを示し、図１１は上記実施形態に係る複合スピーカ装置１０において、反射板３１を図３のＡ方向及びＢ方向の垂線に対して３０°回転させた音圧レベルを示し、図１２は上記実施形態に係る複合スピーカ装置１０において、反射板３１を図３のＡ方向及びＢ方向の垂線に対して６０°回転させた音圧レベルを示している。
【００３８】
（測定結果）
図９からも判るように、反射板３１を固定状態で設置した場合には、１５０００Ｈｚ以上の周波数で３０°と６０°で急激に音圧レベルが低下して高周波特性が劣り、また音圧レベルを変化させるには、反射板３１の取付角度を変更しなければならないことになる。
【００３９】
これに対し、本実施形態に係る複合スピーカ装置１０は、図１０乃至図１２に示すように１５０００Ｈｚ以上の周波数で３０°と６０°で急激に音圧レベルが低下することがなくなり高周波特性に優れ、また反射板３１を回転機構４０により正逆に回転可能であるため、反射板３１の角度を変更することで、図１０乃至図１２に示すように音圧レベルを容易に制御可能であり、理想的な音場を得ることができる。
【００４０】
上記実施形態は以下の効果を有する。
【００４１】
反射板３１をツィータユニット１５に対して回転機構４０により回転可能に取り付けたことにより、反射板３１の角度を変更することで、ツィータユニット１５から放音される音波が歪むことなく、望ましい音場を得ることが可能となる。
【００４２】
また、反射板３１には、ツィータユニット１５から放音される音を所定の角度に反射させる湾曲部３２を形成したので、ツィータユニット１５から放音される音波の歪みを防止することができる。そして、反射板３１を複数形成したので、ツィータユニット１５から放音される音波の歪みを確実に防止することができる。
【００４３】
さらに、反射板３１を所定角度以上の回転を阻止するため、突出部４５とストッパ５２からなるに回り止め機構を設けたことにより、電極部４６に接続されたリード線５５が無理に捩られることがなくなり、リード線５５の断線を未然に防止することができる。
【００４４】
そして、反射板３１をツィータユニット１５に対して位置決めするため、押圧片４４ａがギヤ部５１間に嵌り込んで位置決めするようにしたので、反射板３１が不意に回転するのを防止することができる。
【００４５】
なお、本発明は上記実施形態に限定されることなく、種々の変更が可能である。例えば、上記実施形態では、反射板３１を２つ形成した例について説明したが、これに限らず反射板３１は少なくとも１つ形成すればよい。
【図面の簡単な説明】
【００４６】
【図１】従来の複合型スピーカ装置を示す断面図である。
【図２】本実施形態における複合型スピーカ装置の断面図である。
【図３】図２の正面図である。
【図４】図２のツィータユニットを示す拡大断面図である。
【図５】（Ａ），（Ｂ）は回転機構の外筒を示す断面図，平面図である。
【図６】（Ａ），（Ｂ）は回転機構の内筒を示す断面図，平面図である。
【図７】本実施形態における位置決め機構を示す説明図である。
【図８】本実施形態における反射板の音波の反射状態を示す説明図である。
【図９】従来の複合型スピーカ装置の指向特性データを示す図である。
【図１０】本実施形態において反射板の角度を０°とした指向特性データを示す図である。
【図１１】本実施形態において反射板の角度を３０°とした指向特性データを示す図である。
【図１２】本実施形態において反射板の角度を６０°とした指向特性データを示す図である。
【符号の説明】
【００４７】
１０：複合型スピーカ装置
１１：メインスピーカユニット
１２：スピーカフレーム
１３：振動部
１４：磁気回路部
１５：ツィータユニット
１６：振動板
１７：エッジ
２０：ダンパ
２５：ヨーク
２６：磁石
２７：センタピース
３１：反射板
３２：湾曲部
４０：回転機構
４１：外筒
４２：内筒
４４ａ：押圧片
４５：突出部
５２：ストッパ
【図１】
2005322987.tif 000003
【図２】
2005322987.tif 000004
【図３】
2005322987.tif 000005
【図４】
2005322987.tif 000006
【図５】
2005322987.tif 000007
【図６】
2005322987.tif 000008
【図７】
2005322987.tif 000009
【図８】
2005322987.tif 000010
【図９】
2005322987.tif 000011
【図１０】
2005322987.tif 000012
【図１１】
2005322987.tif 000013
【図１２】
2005322987.tif 000014